(57)【要約】      （修正有） 【課題】家庭で簡単に使える差し込み型シャツ衿型崩れ防止具を提供する。【解決手段】樹脂製で、三角の衿受けをつけ、衿くり内側に三箇所曲げたシャツ台衿の形を模したアール付きの細長い板の左右対称で二枚一組のものを、シャツ衿の左右の折り返し部分に其々前から差し込むことにより衿の形を整え、面ファスナーにより衿前側で左右を連結できるようにした。【選択図】図１
0003155470.tif 000002
【実用新案登録請求の範囲】
【請求項１】
樹脂製で、三角の衿受けをつけ、衿くり内側に三箇所曲げたシャツ台衿の形を模したアール付きの細長い板の左右対称で二枚一組のものを、シャツ衿の左右の折り返し部分に其々前から差し込むことにより衿の形を整え、面ファスナーにより衿前側で左右を連結できるようにしたことを特徴とした、差し込み型シャツ衿型崩れ防止具。
【考案の詳細な説明】
【技術分野】
【０００１】
本考案は、シャツ衿の型崩れ防止に関するものである。
【背景技術】
【０００２】
商品やクリーニング後のシャツ用には、シャツの衿の型崩れを防ぐための上衿と台衿の間につけられる衿型崩れ防止具（以後「衿型崩れ防止具」とする）がある。シャツの全てがクリーニングに出されるのではなく、多くは家庭にて洗濯・アイロンがけがされて、保管されている。
【先行技術文献】
【特許文献】
【０００３】
【特許文献１】特開平10-167359
【考案の概要】
【考案が解決しようとする課題】
【０００４】
商品やクリーニング後のシャツ用に衿型崩れ防止具があるが、家庭で簡単に使える衿型崩れ防止具がない。従来の衿型崩れ防止具はシャツの台衿に沿って衿を一周し輪を作るため、着脱には上衿を起こさなければならず、家庭で簡単に利用できるとは言いがたい。衿受けが無いものは、他のものが重なると上衿が曲がりやすい。
【課題を解決するための手段】
【０００５】
本考案は、樹脂製で、三角の衿受けをつけ、衿くり内側に三箇所曲げたシャツ台衿の形を模したアール付きの細長い板の左右対称で二枚一組のものを、シャツ衿の左右の折り返し部分に其々前から差し込むことにより衿の形を整え、面ファスナーにより衿前側で左右を連結できるようにしたことを特徴とした、差し込み型シャツ衿型崩れ防止具。
【考案の効果】
【０００６】
左右対称の二枚一組の其々を、衿の折り返し部分に前から差し込めるので、衿を一周して輪を作る必要が無く、着脱に上衿を起こさなくてよい。シャツ台衿の形にあわせてアールをつけ、角を全て丸くした細長い板は生地にひっかからずにスムーズに奥まで差し込むことができ、予め衿くりの形を模して衿くり内側に三箇所曲げてあるので、衿の形も整えやすい。衿受けをつけたので、他のものと重なっても台衿だけでなく上衿も支えられる。簡単な動作での使用が可能なので家庭で使いやすい。
【図面の簡単な説明】
【０００７】
【図１】本考案の全体図
【図２】展開図
【図３】シャツの台衿を開いた図
【図４】シャツの台衿と本考案の差し込み板の関係図
【図５】連結部拡大図
【図６】シャツに装着した図
【考案を実施するための形態】
【０００８】
本考案は、左右対称で二枚一組とする。左右の衿の折り返し部分に前から差し込めるようにする。差し込むだけで衿の形が作れるように、予め衿くりにあわせて形を作っておく。差し込む板の形は、シャツ台衿の形を模す。上衿を支えることができるように衿受けとなる三角の羽状の板をつける。二枚を同時に取り外せるように連結部を設ける。樹脂製とする。
【実施例】
【０００９】
本考案は、図１に示したように衿受け三角板７を持った、左右対称で二枚一組のものとする。
【００１０】
シャツの衿くりは、図６に示したようにボタンを閉じると逆三角形のような形になる。
そこで本考案は、装着した時の形を予め作っておくものとする。本考案の一対で逆三角形ができるように片方の差し込み板３を中央あたりで一箇所折ったものにすると、
差し込んだ時にシャツの衿を差し込み板３の角で折り曲げてしまう。そこで、差し込み板３に三本の差し込み板用折れ線をつけ衿くり内側に折ることでシャツ衿くりのカーブにそいやすくする。二枚一組なので、もう一方はその対称の形になるようにする。図１に示したように、一対で六角形の衿くりができるようにする。
【００１１】
図２は展開図である。左右対称なので、もう一方にはこの展開図は反して使用するか、衿受け三角板７を衿受け三角板用折れ線８で折り曲げるときに、右衿用１と左衿用２では其々反対に曲げることにし、差し込み板用折れ線でも其々反対に曲げるようにする。さらに衿くりのサイズは色々あるので、図２の展開図に示したように差し込み板用折れ線はシャツ衿くりＳサイズ用、Ｍサイズ用、Ｌサイズ用を一緒に書き込むことで、展開図の共通化をはかる。
【００１２】
シャツ上衿１３とシャツ台衿１４の間に差し込むので、生地にひっかからないように全ての角を取り除き丸みをもたせる。
【００１３】
図３は、シャツの台衿を開いた図である。シャツ台衿１４は後ろ中心線１５で対称の形であり、後ろ中心線の垂直線１６に対しては、両端にかけてやや下方にカーブしている。さらに両端は少し幅が狭くなっていて、下辺はカーブが上向きに戻っている。図４はシャツ台衿１４と差し込み板３との関係図である。シャツ台衿１４の上に差し込み板３を重ねた図である。差し込み板３はシャツ台衿１４の形を模すものとする。シャツ衿くりには色々サイズがあるので、Ｍサイズといわれるものを基本にする。差し込み板はシャツ台衿１４を後ろ中心線１５で２分割した長さがあれば良いのだが、シャツ衿くりの各サイズに対応できるように後ろ中心線１５より３ｃｍ位長くなるところに差し込み板作製線１７をとり、そこでシャツ台衿１４の形を切って、切ったところの角を落とすことにより仕上げるものである。シャツに装着すると、衿の後ろで左右の差し込み板３が少し重なり、後ろ側を補強する。
【００１４】
衿受け三角板７は差し込み板３と衿受け三角板用折れ線８にて繋がっている。
【００１５】
差し込み板３と衿受け三角板７の間には、衿受け三角板用折れ線８に向かうように二箇所の切れ込み９を作る。差し込み板３にはアールがついているので、衿受け三角板用折れ線８にて衿受け三角板７を折り曲げた際に差し込み板３からはみ出さないようにするため、切れ込み９は衿受け三角板用折れ線８に向けてのＶ字型とし、差し込み板３の方にはＶ字は傾けず、衿受け三角板７の方にＶ字を傾ける。このため衿受け三角板７はＶ字の部分が切り取られるものとする。
【００１６】
衿受け三角板７は、図１のように仕上がるように衿受け三角板用折れ線８で折り曲げる。左右対称になるように襟くりの外側へと曲げる。
【００１７】
図６はシャツに装着した図。衿受け三角板７はシャツ上衿１３の下におさまり、シャツ上衿１３を下から支えるようになる。
【００１８】
差し込み板３の端にある連結部１０は、差し込み板用折れ線連結部用１２にて少し折り曲げる。シャツ衿前部で連結する時に左右の連結部１０の二面が重なり合うようにする。
【００１９】
図５は、連結部の拡大図である。右衿用１の連結部１０に左衿用２の連結部１０を重ね合わせるので、左右の連結部１０の合わせ側に面ファスナー１１をつける。面ファスナー１１は接着剤で貼るものとする。または、接着剤付きの面ファスナーを利用するものとする。
【００２０】
本考案の素材は、繰り返しの使用ができるように樹脂製とする。型抜きのしやすさと、其々の折れ線において曲げやすいようにと、さらに差し込み時に少し形が自由になるように、板厚は厚いものを使わず０．５ｍｍ前後とする。
【産業上の利用可能性】
【００２１】
樹脂製で板厚の薄いものを型ぬきするので、大量の生産が可能である。型抜き後は、折れ線で折るという作業と面ファスナーの接着なので、特別な機械がなくても作れるし、手作業でも可能である。また、面ファスナーをつけたところで販売し、購入者が自身で其々の折れ線を折ることも可能である。一枚の展開図で衿くりの色々なサイズに対応できるようにしたので、製作コストが抑えられる。家庭での使用以外にも、簡易的な展示用や、試着できるようにした商品の展示中の型崩れ防止用に使える。商品販売時に取り外して補充商品へ使いまわすことも可能である。また、樹脂製とすることで、色や柄の選択が自由になる。
【符号の説明】
【００２２】
１    右衿用
２    左衿用
３    差し込み板
４    差し込み板用折れ線Ｓサイズ用
５    差し込み板用折れ線Ｍサイズ用
６    差し込み板用折れ線Ｌサイズ用
７    衿受け三角板
８    衿受け三角板用折れ線
９    切れ込み
１０    連結部
１１    面ファスナー
１２    差し込み板用折れ線連結部用
１３    シャツ上衿
１４    シャツ台衿
１５    後ろ中心線
１６    後ろ中心線の垂直線
１７    差し込み板作製線  
【図１】
0003155470.tif 000003
【図２】
0003155470.tif 000004
【図３】
0003155470.tif 000005
【図４】
0003155470.tif 000006
【図５】
0003155470.tif 000007
【図６】
0003155470.tif 000008